(57)【特許請求の範囲】
【請求項１】
野地板と、その野地板の下面側において該野地板の周縁に沿って設けられたフレーム材とを有する屋根パネルを備え、その屋根パネルが、前記フレーム材を建物本体上に立設された束上に支持させた状態で複数並設され、かつ、隣り合う屋根パネルのフレーム材同士が各々が有する挿通孔部に挿通された締結手段を用いて連結されることで屋根が構成された建物の屋根構造において、
長尺状をなし、前記フレーム材同士の連結部分と前記束との間に水平方向の成分を含む所定方向に延びる向きで設けられる補強部材を備え、
前記補強部材は、その一端部が屋根側連結具を介して前記フレーム材同士の連結部分に連結され、その他端部が束側連結具を介して前記束に連結され、
前記屋根側連結具は、前記フレーム材同士の連結部分においてそれらフレーム材同士の間の隙間部分に挿入される被挿入部を有しており、
前記被挿入部に形成された連結具孔部には前記締結手段が挿通され、その締結手段を用いて前記屋根側連結具が前記各フレーム材に固定されていることを特徴とする建物の屋根補強構造。
【請求項２】
傾斜屋根部を有する屋根に適用され、
前記傾斜屋根部を構成する前記屋根パネルは、前記フレーム材として前記傾斜屋根部の傾斜方向に延びる垂木フレーム材を有し、隣り合う屋根パネルの垂木フレーム材同士が前記締結手段を用いて互いに連結されており、
前記補強部材は、前記一端部が前記垂木フレーム材同士の連結部分に連結され、それら垂木フレーム材の傾斜方向とは逆向きに傾斜させて設けられていることを特徴とする請求項１に記載の建物の屋根補強構造。
【請求項３】
前記垂木フレーム材には、その長手方向となる前記傾斜方向に沿って複数の箇所に前記挿通孔部が形成されており、それら各挿通孔部にそれぞれ前記締結手段が挿通されることで、前記隣り合う屋根パネルの隣接する垂木フレーム材同士が連結されており、
それら複数の締結手段のうちいずれかが前記連結具孔部に挿通されていることを特徴とする請求項２に記載の建物の屋根補強構造。
【請求項４】
前記束側連結具は、前記束を挟んで両側に設けられる一対の挟み込み部材を備え、
それら各挟み込み部材は、前記束を挟み込んだ状態で締結手段により互いに連結されることで前記束に固定されていることを特徴とする請求項１乃至３のいずれか一項に記載の建物の屋根補強構造。
【請求項５】
野地板と、その野地板の下面側において該野地板の周縁に沿って設けられたフレーム材とを有する屋根パネルを備え、その屋根パネルが、建物本体上に立設された束上に前記フレーム材を支持させた状態で複数並設され、かつ、隣り合う屋根パネルの隣接するフレーム材同士が各々が有する挿通孔部に挿通された締結手段を用いて互いに連結されることで屋根が構成されている建物に適用され、
前記隣接するフレーム材同士と前記束とを長尺状をなす補強部材により水平方向の成分を含む所定方向に連結し前記屋根の補強を行う建物の屋根補強方法であり、
前記補強部材の一端部を前記隣接するフレーム材同士に連結するための屋根側連結具を、それら各フレーム材に対して所定の位置に取り付ける第１工程と、
前記補強部材の他端部を前記束に連結するための束側連結具を、当該束に対して所定の位置に取り付ける第２工程と、
前記補強部材の一端部を前記屋根側連結具に取り付け、前記補強部材の他端部を前記束側連結具に取り付ける第３工程と、を備え、
前記第１工程は、
前記隣接するフレーム材同士を連結している前記締結手段を取り外す取り外し工程と、
前記屋根側連結具の一部であり前記締結手段を挿通可能な連結具孔部を有する被挿入部を、その連結具孔部が前記取り外し工程により締結手段が取り外された前記各フレーム材の挿通孔部と同位置となるように、それら両フレーム材の間に挿入する挿入工程と、
前記挿入工程により挿入された前記被挿入部の連結具孔部と、前記各フレーム材の挿通孔部とにそれぞれ前記締結手段を挿入し、該締結手段により前記各フレーム材と前記被挿入部とを互いに連結する連結工程と、
を備えることを特徴とする建物の屋根補強方法。
【発明の詳細な説明】
【技術分野】
【０００１】
本発明は、建物の屋根補強構造及び建物の屋根補強方法に関する。
【背景技術】
【０００２】
従来より建物における屋根構造として、柱や梁等を組み付けて構築される建物本体上に複数の束を立設し、それら各束により複数の屋根パネルを支持することで屋根を形成する屋根構造が知られている（例えば、特許文献１参照）。この種の屋根パネルは、屋根下地材としての野地板と、野地板の裏面側にて当該野地板の周縁に沿って配設されるフレーム材とを備えて構成される。かかる屋根パネルは、フレーム材が束上に支持された状態で当該束に固定されることにより設置されている。
【先行技術文献】
【特許文献】
【０００３】
【特許文献１】特開２００８−１２７９０２号公報
【発明の概要】
【発明が解決しようとする課題】
【０００４】
ところで、住宅等の建物では、施工後に、後付けで屋根上にソーラパネルが設置されることがある。この場合、ソーラパネルの重量分、屋根部分の重量が増大することとなるため、地震や強風の際に屋根に生じる水平力（横向きの力）が、ソーラパネルの設置前と比べて増大することが考えられる。そのため、ソーラパネルを屋根に設置する際には、それと併せて屋根の補強を行うことが望ましい。なお、既設された建物において屋根の瓦を重量の大きいものに葺き代える場合等にも、これと同様の問題が生じうる。
【０００５】
しかしながら、本来建物は、後付けで屋根の補強を行うことを想定した造りにはなっていない。そのため、既設された建物に対して事後的に屋根の補強を行うことは実際上困難を伴うと考えられ、その対策が求められる。
【０００６】
本発明は、上記事情に鑑みてなされたものであり、屋根の補強を好適に行うことができる建物の屋根補強構造及び建物の屋根補強方法を提供することを主たる目的とするものである。
【課題を解決するための手段】
【０００７】
上記課題を解決すべく、第１の発明の建物の屋根補強構造は、野地板と、その野地板の下面に沿って延び該野地板を下方から支持する支持部材とを有する屋根を備え、前記屋根が、建物本体上に立設された束上に前記支持部材が設置されることにより支持されている建物の屋根構造において、長尺状をなし、前記支持部材と前記束との間に水平方向の成分を含む所定方向に延びる向きで設けられる補強部材を備え、前記補強部材は、その一端部が屋根側連結具を介して前記支持部材に連結され、その他端部が束側連結具を介して前記束に連結されていることを特徴とする。
【０００８】
本発明によれば、屋根を構成する支持部材と、建物本体上に立設された束とが補強部材を介して水平方向の成分を含む所定の方向に連結されている。そのため、地震時や強風時等に屋根に生じる水平力に対して抵抗力を付与することができる。また、補強部材は、その両端部がそれぞれ連結具を介して支持部材及び束に連結される構成となっているため、補強部材の設置に際しては、まず各連結具をそれぞれ支持部材と束とに取り付け、その後各連結具に補強部材の両端部をそれぞれ取り付けることで、補強部材を設置することができる。この場合、補強部材の両端部を支持部材と束とに直接取り付けて補強部材の設置を行う場合と比べ、補強部材の位置決めを容易に行えるといった取付作業上の利点が得られるため、屋根の補強を好適に行うことが可能となる。したがって、例えば既設された建物に対して事後的に屋根の補強を行うにあたっては好都合な構成といえる。
【０００９】
第２の発明の建物の屋根補強構造は、第１の発明において、傾斜屋根部を有する屋根に適用され、前記傾斜屋根部は、前記支持部材として前記傾斜屋根部の傾斜方向に延びる垂木を有し、前記補強部材は、前記垂木に連結されている前記一端部から前記束に連結されている前記他端部に対して、前記垂木の棟先側と軒先側とのうち前記棟先側に延び、かつ下方に傾斜する向きで設けられていることを特徴とする。
【００１０】
本発明によれば、補強部材を介して傾斜屋根部と束とを水平方向の成分を含む所定方向に連結する構成において、傾斜屋根部に生じる水平力に対する抵抗力を好適に発揮させることができるため、実用上好ましい構成といえる。
【００１１】
第３の発明の建物の屋根補強構造は、第１又は第２の発明において、前記野地板と、その下面側において前記野地板の周縁に沿って設けられた前記支持部材としてのフレーム材とを有する屋根パネルを備え、その屋根パネルが前記フレーム材を前記束上に支持させた状態で複数並設され、かつ、隣り合う屋根パネルのフレーム材同士が互いに連結されることにより前記屋根が構成されており、前記屋根側連結具は、前記フレーム材同士の連結部分においてそれら両フレーム材の少なくともいずれかに固定されていることを特徴とする。
【００１２】
複数の屋根パネルにより屋根が構成される建物において、例えば、隣り合う屋根パネルのうち一方だけを補強すると、地震や強風により屋根に横揺れが生じた場合に、補強した屋根パネルについては水平力に耐えうる一方、補強されていない屋根パネルについては水平力に耐えられないといったことが生じうる。その場合、隣り合う屋根パネル間でずれが生じる等の問題が発生することが懸念される。そこで、本発明ではこの点に鑑みて、隣り合う屋根パネルの隣接するフレーム材同士が連結する連結部分に屋根側連結具を固定することとしている。これにより、隣り合う屋根パネルについてそれぞれ補強をすることができるため、上述した問題が生じるのを回避することができる。
【００１３】
第４の発明の建物の屋根補強構造は、第３の発明において、前記フレーム材には挿通孔部が設けられ、その挿通孔部に締結手段が挿通されることで前記隣り合う各屋根パネルのフレーム材同士が連結されており、その締結手段が、前記屋根側連結具に形成された連結具孔部にも挿通されて、前記屋根側連結具が前記フレーム材に固定されていることを特徴とする。
【００１４】
本発明によれば、屋根側連結具と各フレーム材とにそれぞれ挿通孔部が形成されており、それら各挿通孔部に挿通された締結手段によって屋根側連結具と各フレーム材とが連結されているため、フレーム材に直接釘等を打ち付けて屋根側連結具を取り付ける構成とは異なり、フレーム材に損傷を与えることなく屋根側連結具をフレーム材に取り付けることができる。したがって、かかる構成は、屋根を事後的に補強する上で好ましい構成といえる。
【００１５】
第５の発明の建物の屋根補強構造は、第４の発明において、前記屋根側連結具は、その一部に、前記フレーム材同士の連結部分においてそれらフレーム材同士の間の隙間部分に挿入されて配設される被挿入部を有し、その被挿入部に前記連結具孔部が形成されていることを特徴とする。
【００１６】
本発明によれば、隣り合う屋根パネルの隣接する各フレーム材の間に屋根側連結具の被挿入部が挿入されて挟みこまれており、その挟み込み状態で被挿入部が各フレーム材に締結手段を用いて固定されている。この場合、屋根側連結具を屋根側に強固に固定することができるため、屋根の補強効果を良好に発揮させることができる。
【００１７】
第６の発明の建物の屋根補強構造は、第４又は第５の発明において、傾斜屋根部を有する屋根に適用され、前記傾斜屋根部の傾斜方向に延びる前記フレーム材としての垂木フレーム材には、その長手方向となる前記傾斜方向に沿って複数の箇所に前記挿通孔部が形成されており、それら各挿通孔部にそれぞれ前記締結手段が挿通されることで、前記隣り合う屋根パネルの隣接する垂木フレーム材同士が連結されており、それら複数の締結手段のうちいずれかが前記連結具孔部に挿通されていることを特徴とする。
【００１８】
本発明では、隣り合う屋根パネルの隣接する垂木フレーム材同士がフレーム長手方向に複数配置された締結手段により互いに連結されており、それら複数の締結手段のうちのいずれかを用いて屋根側連結具が垂木フレーム材に取り付けられている。この場合、複数の締結手段はそれぞれ異なる高さに配置されているため、屋根側連結具の取付高さに関して自由度を高めることができ、ひいては補強部材の設置向き（傾斜角度）に関して自由度を高めることができる。これにより、屋根の補強度合いに応じて補強部材の設置向きを変えるといった対応をとることが可能となる。
【００１９】
第７の発明の建物の屋根補強構造は、第１乃至第６のいずれかの発明において、前記束側連結具は、前記束を挟んで両側に設けられる一対の挟み込み部材を備え、それら各挟み込み部材は、前記束を挟み込んだ状態で締結手段により互いに連結されることで前記束に固定されていることを特徴とする。
【００２０】
本発明によれば、束側連結具を束に固定するにあたり束に対して釘等の締結手段を直接打ち付ける必要がないため、束に損傷を与えることなく束側連結具を束に固定することができる。そのため、かかる構成は、屋根を事後的に補強する上で好ましい構成といえる。特に、第４の発明と第７の発明とを併せ持つ構成とすれば、束側だけでなく屋根パネル側においても損傷を与えることなく補強部材を設置することができ、事後的に屋根を補強する上でより一層好ましい構成となる。
【００２１】
第８の発明の建物の屋根補強方法は、野地板と、該野地板の下面に沿って延び前記野地板を下方から支持する支持部材とを有する屋根を備え、前記屋根は、建物本体上に立設された束上に前記支持部材が設置されることにより支持されている建物に適用され、前記支持部材と前記束とを長尺状をなす補強部材により水平方向の成分を含む所定方向に連結し前記屋根の補強を行う建物の屋根補強方法であり、前記補強部材の一端部を前記支持部材に連結するための屋根側連結具を、当該支持部材に対して所定の位置に取り付ける第１工程と、前記補強部材の他端部を前記束に連結するための束側連結具を、当該束に対して所定の位置に取り付ける第２工程と、前記補強部材の一端部を前記屋根側連結具に取り付け、前記補強部材の他端部を前記束側連結具に取り付ける第３工程と、を備えることを特徴とする。
【００２２】
本発明によれば、屋根の補強作業において、まず屋根側連結具が屋根の支持部材に取り付けられるとともに束側連結具が束に取り付けられ、その後それら各連結具に対してそれぞれ補強部材の両端部が取り付けられる。これにより、補強部材を介して水平方向の成分を含む所定方向に屋根と束とが連結されるため、第１の発明と同様に、屋根に生じる水平力に対して抵抗力を付与することができる。そして、このように屋根と束とに各連結具を先付けし、その後それら各連結具に補強部材の両端部を取り付けていく上記の補強方法によれば、補強部材の位置決めを容易に行えるといった取付作業上の利点が得られるため、屋根の補強作業を好適に行うことが可能となり、特に既設された建物に対して屋根の補強を事後的に行う上で有効となる。
【００２３】
第９の発明の建物の屋根補強方法は、第８の発明において、前記野地板と、その下面側において前記野地板の周縁に沿って設けられた前記支持部材としてのフレーム材とを有する屋根パネルを備え、その屋根パネルが、前記フレーム材を前記束に支持させた状態で複数並設され、かつ、隣り合う屋根パネルの隣接するフレーム材同士が各々が有する挿通孔部に挿通された締結手段を用いて互いに連結されることで前記屋根が構成されている建物に適用され、前記第１工程は、前記隣接するフレーム材同士を連結している締結手段を取り外す取り外し工程と、前記屋根側連結具の一部であり前記締結手段を挿通可能な連結具孔部を有する被挿入部を、その連結具孔部が前記取り外し工程により締結手段が取り外された前記各フレーム材の挿通孔部と同位置となるように、それら両フレーム材の間に挿入する挿入工程と、前記挿入工程により挿入された前記被挿入部の連結具孔部と、前記各フレーム材の挿通孔部とにそれぞれ前記締結手段を挿入し、該締結手段により前記各フレーム材と前記被挿入部とを互いに連結する連結工程と、を備えることを特徴とする。
【００２４】
本発明によれば、建物に対して屋根の補強を行うに際し、まず隣り合う屋根パネルの隣接するフレーム材同士を連結している締結手段が取り外され、それから屋根側連結具の被挿入部が各フレーム材の間に挿入される。そして、被挿入部の連結具孔部と各フレーム材の挿通孔部とに締結手段が挿通されることにより被挿入部ひいては屋根側連結具が各フレーム材に固定される。この場合、フレーム材に直接釘等を打ち付けて屋根側連結具を取り付ける場合とは異なり、フレーム材に損傷を与えることなく屋根側連結具をフレーム材に取り付けることができる。したがって、かかる構成は、屋根を事後的に補強する上で好ましい構成といえる。
【００２５】
また、隣接する各フレーム材の間に被挿入部が挟み込まれた状態で屋根側連結具が各フレーム材に固定されるため、第５の発明と同様、屋根側連結具を屋根側に強固に固定することができる。
【図面の簡単な説明】
【００２６】
【図１】建物全体を示す概略図。
【図２】屋根全体を示す平面図。
【図３】屋根パネルを示す平面図。
【図４】屋根及びその周辺の構成を示す断面図。
【図５】屋根側連結具の垂木フレーム材に対する取付構成を示す分解斜視図。
【図６】ブレースの束に対する連結構成を示す斜視図。
【図７】屋根補強構造を構築する際の作業手順を説明するための説明図。
【図８】他の実施形態におけるブレースの設置構成を示す断面図。
【図９】他の実施形態における屋根側連結具の棟フレーム材に対する取付構成を示す断面図。
【図１０】他の実施形態における束に対する束側連結具の取付構成を示す斜視図。
【発明を実施するための形態】
【００２７】
以下に、本発明を具体化した一実施の形態について図面を参照しつつ説明する。なお、図１は建物全体を示す概略図であり、図２は屋根全体を示す平面図である。
【００２８】
図１に示すように、建物１０は、基礎１１上に配設された建物本体１２と、建物本体１２の上方に配設された屋根１３とを備える。建物本体１２は、複数の建物ユニット１５が連結されてなる二階建ての建物である。建物本体１２上には、複数のブラケット１６及び複数の束１７が設けられており、これら各ブラケット１６及び各束１７により屋根１３が支持される構成となっている。
【００２９】
屋根１３は、切妻式の屋根となっており、棟１８を挟んだ両側に一対の傾斜屋根部１９を有している。各傾斜屋根部１９はそれぞれ棟１８から軒先２８に向かって下方に傾斜しており、そのうち一方の傾斜屋根部１９上にはソーラパネル３１が設置されている。このソーラパネル３１は、建物１０の施工後に、後付けで設置されたものである。
【００３０】
図２に示すように、屋根１３は、複数の屋根パネル２０により構成されている。屋根パネル２０は、全体として長方形状をなしており、各傾斜屋根部１９においてそれぞれ棟１８の延びる方向（換言すると、屋根１３の傾斜方向と直交する水平方向）に沿って横並びに複数ずつ（図２では３つずつ）設けられている。なお、図２では便宜上、建物本体１２を構成する各建物ユニット１５を二点鎖線で示し、ソーラパネル３１の図示を省略している。
【００３１】
ブラケット１６は、建物本体１２上において軒先２８側の端部に沿って複数設けられている。このうち一部のブラケット１６ａは、隣接する屋根パネル２０の境界部に配置され、それら各屋根パネル２０を共に支持している。なお図２では、ブラケット１６の設置位置を丸印で示している。
【００３２】
束１７は、建物本体１２上において平面視における軒先２８と棟１８との中間位置に設けられ、棟１８の延びる方向に沿って複数配設されている。このうち、一部の束１７ａは、隣接する屋根パネル２０の境界部に配置され、それら各屋根パネル２０を共に支持している。なお図２では、束１７の設置位置を四角印で示している。
【００３３】
次に、屋根パネル２０について図３を用いて説明する。図３は屋根パネル２０の平面図である。
【００３４】
図３に示すように、屋根パネル２０は、屋根下地材としての野地板２１と、野地板２１の裏面側に固定されたパネルフレーム２２とを備える。野地板２１は、矩形板状に形成されており、例えばパーティクルボードからなる。パネルフレーム２２は、一対の垂木フレーム材２３と、棟フレーム材２４と、鼻先木２５と、複数の母屋フレーム材２６とを備え、これらが互いに連結されることにより構成されている。
【００３５】
垂木フレーム材２３と棟フレーム材２４とはそれぞれ断面コ字状の軽量鉄骨材よりなり、鼻先木２５と母屋フレーム材２６とはそれぞれ木質系の角材よりなる。なお詳しくは、棟フレーム材２４は上下の各フランジ部が屋根１３の傾斜に合わせて若干曲げられている（図４参照）。
【００３６】
一対の垂木フレーム材２３と、棟フレーム材２４と、鼻先木２５とはそれぞれ野地板２１の周縁に沿って配設されており、その配設状態で互いにビス等を用いて連結されている。これにより、パネルフレーム２２の外枠が形成されている。外枠において、一対の垂木フレーム材２３同士が対向配置され、棟フレーム材２４と鼻先木２５とが対向配置されている。また、各垂木フレーム材２３と棟フレーム材２４とはそれぞれ溝開口を内側に向けて配置されている。
【００３７】
一対の垂木フレーム材２３の間には複数の母屋フレーム材２６が所定の間隔で架け渡されている。各母屋フレーム材２６はそれぞれ、その両端部において各垂木フレーム材２３にビス等で固定されている。
【００３８】
次に、屋根パネル２０の設置構成について図４に基づいて説明する。図４は、屋根１３及びその周辺の構成を示す断面図であり、図２のＡ−Ａ線断面図に相当する。なお、図４では、便宜上、屋根パネル２０の母屋フレーム材２６の図示を省略している。
【００３９】
図４に示すように、屋根パネル２０は、棟フレーム材２４が棟１８に沿って延びかつ鼻先木２５が軒先２８に沿って延びる向きで、ブラケット１６と束１７とにより下方から支持された状態で設置されている。ブラケット１６は、互いにボルトで連結されたアングル３６と支持部４０とを有する。アングル３６は、Ｌ字状をなしており、建物ユニット１５（詳しくは二階部分の建物ユニット１５）の天井大梁２９上にボルトにより固定されている。支持部４０は、その上面が屋根１３の傾斜に沿った傾斜面からなる支持面部３２となっており、その支持面部３２上に屋根パネル２０の垂木フレーム材２３（詳しくはその下フランジ部）が載置されている。そして、かかる載置状態で垂木フレーム材２３と支持部４０とが溶接により固定されている。
【００４０】
束１７は、建物本体１２上において建物ユニット１５（詳しくは二階部分の建物ユニット１５）同士が隣接するユニット隣接部に立設されている。隣り合う建物ユニット１５の隣接する各天井大梁２９上にはそれら両者に跨がるようにして束脚部３８が設けられている。束脚部３８は、略コ字状をなす鋼板からなり、その溝開口を上方に向けた状態で各天井大梁２９の上面にそれぞれボルト等で固定されている（図６も参照）。そして、この束脚部３８上に束１７が固定されている。
【００４１】
束１７は、角形鋼管又はＣ形鋼管よりなり、その下端部が束脚部３８の溝内に配設された状態で当該束脚部３８に溶接により固定されている。束１７の上端部には、支持プレート３９が溶接により固定されている。支持プレート３９は、屋根１３の傾斜に沿った平板状の鋼板からなる。なお、支持プレート３９に、その傾斜方向の端部から下方に延び束１７の側面に当接される当接板部を設け、その当接板部を束１７の側面に固定してもよい。
【００４２】
支持プレート３９の上面には屋根パネル２０の垂木フレーム材２３が載置されており、その載置状態で垂木フレーム材２３が支持プレート３９に対してボルト等で固定されている。また、棟１８（換言すると軒先２８）の延びる方向に隣り合う屋根パネル２０の境界部に配置される束１７ａ（支持プレート３９）上には、それら両屋根パネル２０の隣接する各垂木フレーム材２３がそれぞれ載置された状態で固定されている。以上のように、各屋根パネル２０が束１７上に支持された状態で設置されている。
【００４３】
このような屋根パネル２０の設置構成において、棟１８の延びる方向において隣り合う各屋根パネル２０は、互いの隣接する垂木フレーム材２３のウェブ部２３ａ同士を接合させた状態で設けられており、それらウェブ部２３ａ同士がボルト３４等の締結手段を用いて互いに連結されている。垂木フレーム材２３のウェブ部２３ａには、ボルト３４を挿通可能な挿通孔部３３が垂木フレーム材２３の長手方向（換言すると屋根１３の傾斜方向）に沿って所定間隔で複数設けられている。具体的には、挿通孔部３３は２つ一組で設けられており、それがフレーム長手方向に沿って所定の間隔で複数組（図４では３組）設けられている。これら複数組のうち、垂木フレーム材２３の端部側に配置された組の２つの挿通孔部３３については一方の挿通孔部３３にのみボルト３４が挿通されてナット３５と締結されている。また、中間部に配置された組の２つの挿通孔部３３についてはそれぞれにボルト３４が挿通され、各ボルト３４がナット３５（図５参照）と締結されている。これにより、隣接する垂木フレーム材２３同士ひいては横並びで隣り合う屋根パネル２０同士が互いに連結されている。なお、ボルト３４が挿通されていない挿通孔部３３は、例えばしの孔として用いられる。
【００４４】
一方、棟１８を挟んで隣り合う各屋根パネル２０は、互いの隣接する棟フレーム材２４のウェブ部２４ａ同士を接合させた状態で設けられており、それらウェブ部２４ａ同士がボルト３４等の締結手段を用いて互いに連結されている。棟フレーム材２４にも、垂木フレーム材２３と同様に、そのウェブ部２４ａに長手方向に沿って複数の挿通孔部３７が形成されている。そして、隣接する各棟フレーム材２４の挿通孔部３７にはそれぞれボルト３４が挿通されておりナット３５と締結されている。これにより、隣接する棟フレーム材２４同士ひいては棟１８を挟んで隣り合う屋根パネル２０同士が互いに連結されている。
【００４５】
ところで、本実施形態の建物１０には、屋根１３の補強を行うべく屋根補強構造が構築されている。この屋根補強構造は、屋根１３上へのソーラパネル３１の設置に伴い、事後的に構築されたものである。すなわち、ソーラパネル３１の設置により屋根部の重量が増大すると、地震や強風の際に屋根１３に生じる横向き（水平方向）の力が大きくなることが想定され、その対策として本実施形態ではソーラパネル３１の設置に伴い事後的に屋根補強構造を構築している。以下、かかる屋根補強構造について説明する。
【００４６】
屋根１３の下面側において、屋根パネル２０と束１７との間には、水平方向に対して斜めの方向に延びるようにブレース４１が設けられている。ブレース４１は、屋根パネル２０と束１７との間において当該屋根パネル２０とは反対の向きに傾斜して設けられ、かかる傾斜方向において屋根パネル２０と束１７とを互いに連結している。具体的には、ブレース４１は、屋根パネル２０との連結部側から、束１７との連結部側に対して、当該屋根パネル２０の棟１８側と軒先２８側とのうち棟１８側に向かって延び、かつ下方に傾斜する向きで設けられている。
【００４７】
ブレース４１は、平面視において、棟１８の延びる方向に隣り合う屋根パネル２０同士の境界部に沿って延びるように配設されている。ブレース４１は、かかるパネル境界部において互いにＸ字状をなして交差するように２つ一組で設けられており、そのブレース４１の組が各パネル境界部ごとに配設されている。但し、ブレース４１は、必ずしもパネル境界部ごとに設ける必要はなく、例えばソーラパネル３１の設置部位周辺のパネル境界部のみに設けてもよい。
【００４８】
ブレース４１は、金属製の棒材からなり、直線状に延びるように形成されている。なおここで、ブレース４１が補強部材に相当する。ブレース４１は、その両端部にそれぞれ取付用の取付プレート４１ａを有しており、その中間部に張力調整機構としてのターンバックル４１ｂを有している。このターンバックル４１ｂを用いることで、ブレース４１の張力調整をすることが可能となっており、またブレース４１の長さに関する微調整も可能となっている。
【００４９】
ブレース４１は、その一端部が屋根パネル２０の垂木フレーム材２３に屋根側連結具４２を介して連結されており、他端部が束１７に対して束側連結具４３を介して連結されている。以下、かかるブレース４１の垂木フレーム材２３及び束１７に対する連結構成について説明する。
【００５０】
まず、ブレース４１の一端部と垂木フレーム材２３との連結構成について図４に加え図５を用いて説明する。なお、図５は、屋根側連結具４２の垂木フレーム材２３に対する取付構成を示す分解斜視図である。
【００５１】
図４及び図５に示すように、屋根側連結具４２は、矩形平板状の金属板よりなる固定プレート４５と、固定プレート４５の片面に設けられたブレース受け部４６とを備える。固定プレート４５には、厚み方向に貫通する一対の挿通孔部４８（連結具孔部に相当）が形成されている。固定プレート４５は、その一部が、隣り合う屋根パネル２０の隣接する各垂木フレーム材２３の間に下方から挿入されており、具体的には垂木フレーム材２３の長手方向中間部において各垂木フレーム材２３の間に挿入されている。そして、かかる挿入状態において各垂木フレーム材２３の挿通孔部３３と固定プレート４５の挿通孔部４８とが位置合わせされており、その位置合わせされた状態でこれら各挿通孔部３３，４８にはボルト３４が挿通されてナット３５と締結されている。これにより、固定プレート４５は各垂木フレーム材２３の間に挟み込まれた状態で固定され、ひいては屋根側連結具４２が各垂木フレーム材２３にそれぞれ固定されている。なおここで、固定プレート４５において隣接する垂木フレーム材２３の間に挿入された部分が被挿入部に相当する。
【００５２】
ブレース受け部４６は、断面コ字状をなす板金部材からなる。ブレース受け部４６は、固定プレート４５において上記各垂木フレーム材２３間から下方にはみ出した部位に設けられ、当該はみ出した部位においてその溝開口を固定プレート４５の板面側に向けて同プレート４５に溶接固定されている。ブレース受け部４６において固定プレート４５と隙間を隔てて対向する対向面部４６ａは、ブレース４１の取付プレート４１ａを取り付けるための取付面部となっている。対向面部４６ａには、取付プレート４１ａを取り付けるためのボルト４７が挿通される挿通孔部４９が形成されている。
【００５３】
ブレース受け部４６の対向面部４６ａには、ブレース４１の取付プレート４１ａが取り付けられている。取付プレート４１ａに設けられた取付孔部（図示略）とブレース受け部４６の挿通孔部４９とにはそれぞれボルト４７が挿通されておりナット（図示略）と締結されている。これにより、取付プレート４１ａがブレース受け部４６に取り付けられ、ひいてはブレース４１の一端部が屋根側連結具４２を介して連結されている。
【００５４】
次に、ブレース４１の他端部と束１７との連結構成について図４に加え図６を用いながら説明する。図６は、ブレース４１の束１７に対する連結構成を示す斜視図である。図６において（ａ）では各部材を一体化した状態を示しており、（ｂ）では各部材を分解した状態で示している。
【００５５】
図４及び図６に示すように、束１７の下端側には束側連結具４３が固定されている。束側連結具４３は、束１７を挟み込んで設けられる一対の挟み込み部材５１，５２を備える。これら各挟み込み部材５１，５２のうち第１挟み込み部材５１は、鋼板が折り曲げ形成されてなる。第１挟み込み部材５１は、束１７の側面に沿ってコ字状に折り曲げ形成されたコ字状部５１ａと、コ字状部５１ａの両端からそれぞれ反対側に向けて延び互いに同一平面上に配置された一対のフランジ部５１ｂとを有する。コ字状部５１ａの内側の溝部は束１７の下端側が収容される収容溝部５７となっており、収容溝部５７の溝深さは束１７の側面の横幅よりも若干小さい寸法に設定されている。また、各フランジ部５１ｂにはそれぞれ厚み方向に貫通する挿通孔部５４が形成されている。
【００５６】
一方、第２挟み込み部材５２は、矩形平板状の金属製プレートからなる。第２挟み込み部材５２には厚み方向に貫通する一対の挿通孔部５５が形成されており、それら各挿通孔部５５はそれぞれ第１挟み込み部材５１の挿通孔部５４と対応する位置に配置されている。
【００５７】
第１挟み込み部材５１と第２挟み込み部材５２とは束１７の下端側において束１７を両側から挟み込むようにして設けられている。第１挟み込み部材５１は、コ字状部５１ａの収容溝部５７に束１７の下端側を収容させており、その収容状態で第２挟み込み部材５２が第１挟み込み部材５１の各フランジ部５１ｂに当接しかつその挿通孔部５５をフランジ部５１ｂの挿通孔部５４と位置合わせした状態で設けられている。そして、かかる設置状態において、各挟み込み部材５１，５２の挿通孔部５４，５５にはそれぞれボルト６１が挿通されナット６２と締結されている。これにより、第１挟み込み部材５１と第２挟み込み部材５２とが束１７を挟み込んだ状態で互いに連結され、その結果、これら各挟み込み部材５１，５２つまりは束側連結具４３が束１７に対して固定されている。
【００５８】
束側連結具４３の第２挟み込み部材５２には、ブレース４１の取付プレート４１ａが取り付けられている。取付プレート４１ａは、第２挟み込み部材５２の外側面、すなわち同部材５２における第１挟み込み部材５１とは反対側の面（取付プレート４１ａを取り付けるための取付面部に相当）において、その取付孔部５９を第２挟み込み部材５２の各挿通孔部５５のうちの一方と位置合わせした状態で設けられており、その状態で取付孔部５９と各挿通孔部５５とにはそれぞれボルト６１が挿通されてナット６２と締結されている。これにより、取付プレート４１ａ、第１挟み込み部材５１及び第２挟み込み部材５２の三者が互いに連結され、その結果取付プレート４１ａが束側連結具４３に対して取り付けられている。よって、ブレース４１の他端部が束側連結具４３を介して束１７に連結されている。
【００５９】
ここで、上記のように垂木フレーム材２３及び束１７に両端部が連結されて設置されるブレース４１の設置構成に関して補足説明をする。図４に示すように、互いに交差して配置された一組のブレース４１Ａ，４１Ｂはそれぞれ棟１８の延びる方向（換言するとブレース４１と直交する方向）において束１７ａを挟んだ両側に配置されている。各ブレース４１Ａ，４１Ｂをそれぞれ垂木フレーム材２３に連結している各々の屋根側連結具４２（以下、各屋根側連結具４２の符号に、各ブレース４１Ａ，４１Ｂと対応させてＡ，Ｂを付す。）は、棟１８の延びる方向において互いに反対向きとなるように取り付けられている。すなわち、屋根側連結具４２Ａは、ブレース受け部４６を固定プレート４５（換言するとパネル境界部）に対して棟１８の延びる方向における一方側（図４における紙面手前側。以下、当該一方側を手前側という。）に位置させた状態で設けられ、屋根側連結具４２Ｂは、ブレース受け部４６を固定プレート４５に対して同方向における他方側（図４における紙面奥側。以下、当該他方側を奥側という。）に位置させた状態で設けられている。これにより、各屋根側連結具４２Ａ，４２Ｂのブレース受け部４６はそれぞれ棟１８の延びる方向においてパネル境界部を挟んで反対側に位置している。より詳しくは、屋根側連結具４２Ａのブレース受け部４６が同方向において束１７ａよりも手前側に位置し、屋根側連結具４２Ｂのブレース受け部４６が束１７ａよりも奥側に位置している。
【００６０】
一方、各ブレース４１Ａ，４１Ｂをそれぞれ束１７に連結している各々の束側連結具４３（以下、各束側連結具４３の符号に、各ブレース４１Ａ，４１Ｂと対応させてＡ，Ｂを付す。）も、屋根側連結具４２Ａ，４２Ｂと同様に、棟１８の延びる方向において互いに反対向きとなるように取り付けられている。すなわち、各束側連結具４３Ａ，４３Ｂでは、第１挟み込み部材５１と第２挟み込み部材５２とが互いに逆向きで配置されており、その結果各束側連結具４３Ａ，４３Ｂの第２挟み込み部材５２はそれぞれ棟１８の延びる方向においてパネル境界部を挟んで反対側に位置している。より詳しくは、束側連結具４３Ａの第２挟み込み部材５２が棟１８の延びる方向において束１７ａよりも手前側に位置しており、束側連結具４３Ｂの第２挟み込み部材５２が束１７ａよりも奥側に位置している。
【００６１】
上述のように配置された各連結具４２Ａ，４３Ａにブレース４１Ａが取り付けられることでブレース４１Ａは束１７ａよりも手前側に配置され、各連結具４２Ｂ，４３Ｂにブレース４１Ｂが取り付けられることでブレース４１Ｂは束１７ａよりも奥側に配置されている。このようにして、パネル境界部に沿って配置される一組のブレース４１同士が互いに干渉し合うのが回避されているとともに、束１７ａとの干渉についても回避されている。
【００６２】
次に、既設された建物１０に対して上述の屋根補強構造を構築する際の作業手順を説明する。図７は、屋根補強構造を構築する際の作業手順を説明するための説明図である。
【００６３】
既設された建物１０では、図７（ａ）に示すように、隣り合う屋根パネル２０の隣接する垂木フレーム材２３同士が、屋根側連結具４２が取り付けられるフレーム長手方向の中間部において、１組のボルト３４及びナット３５により連結されている。そこで、まず、図７（ｂ）に示すように、これらボルト３４及びナット３５を垂木フレーム材２３から取り外す作業を行う。
【００６４】
次に、図７（ｃ）に示すように、隣接する垂木フレーム材２３の間に屋根側連結具４２の固定プレート４５を挿入する。この際、固定プレート４５の各挿通孔部４８がそれぞれ垂木フレーム材２３の各挿通孔部３３と同位置となるように、固定プレート４５の挿入を行う。
【００６５】
次に、図７（ｄ）に示すように、固定プレート４５の挿通孔部３３と各垂木フレーム材２３の挿通孔部４８とにそれぞれボルト３４を挿通しナット３５と締結することで、固定プレート４５を各垂木フレーム材２３に対して固定する。これにより、屋根側連結具４２が各垂木フレーム材２３に取り付けられる。
【００６６】
次に、図７（ｅ）に示すように、束１７の下端側に束側連結具４３を取り付ける。この作業では、第１挟み込み部材５１と第２挟み込み部材５２とをそれら両者５１，５２の間に束１７を挟み込むようにして配置し、その配置状態でボルト６１及びナット６２を用いて各挟み込み部材５１，５２同士を連結する。詳しくは、挟み込み部材５１，５２において設けられた２箇所の挿通孔部５４，５５のうち一方のみを利用してボルト６１及びナット６２によりそれら両者５１，５２を連結する。これにより、各挟み込み部材５１，５２すなわち束側連結具４３が束１７に対して仮固定される。
【００６７】
次に、図７（ｆ）に示すように、ブレース４１の取付プレート４１ａを束側連結具４３に取り付ける。この作業では、取付プレート４１ａの取付孔部５９と、各挟み込み部材５１，５２においてボルト６１が挿通されていない側の挿通孔部５４，５５とにそれぞれボルト６１を挿通しナット６２と締結する。これにより、束側連結具４３が束１７に対して固定されるとともに、ブレース４１の一端部が束側連結具４３に対して取り付けられる。すなわち、ブレース４１の他端部が束側連結具４３を介して束１７に連結される。
【００６８】
次に、図７（ｇ）に示すように、ブレース４１の他方の取付プレート４１ａを屋根側連結具４２のブレース受け部４６にボルト４７及びナットを用いて取り付ける。これにより、ブレース４１の一端部が屋根側連結具４２を介して屋根パネル２０の垂木フレーム材２３に連結され、ブレース４１の設置が完了する。
【００６９】
このようにして、各ブレース４１を順次設置していき、設置したブレース４１についてはそれぞれターンバックル４１ｂを用いて張力調整を行う。これをもって、一連の屋根補強作業が終了する。
【００７０】
以上、詳述した本実施形態の構成によれば、以下の優れた効果が得られる。
【００７１】
屋根パネル２０の垂木フレーム材２３と束１７との間に水平方向に対して傾斜する方向に延びる向きでブレース４１を設け、そのブレース４１を介して垂木フレーム材２３と束１７とを連結した。この場合、地震時や強風時等に屋根１３に生じる水平力に対して抵抗力を付与することができる。具体的には、ブレース４１を、垂木フレーム材２３に連結されている一端部から、束１７に連結されている他端部に対して、当該垂木フレーム材２３の棟１８側と軒先２８側とのうち棟１８側に延びるようにかつ下方に傾斜する向きで設けたため、屋根１３に生じる水平力に対して好適に抵抗力を発揮させることができる。
【００７２】
また、ブレース４１の一端部を屋根側連結具４２を介して垂木フレーム材２３に連結するとともに、ブレース４１の他端部を束側連結具４３を介して束１７に連結したため、ブレース４１の設置に際しては、まず各連結具４２，４３をそれぞれ垂木フレーム材２３と束１７とに取り付け、その後各連結具４２，４３にブレース４１の両端部をそれぞれ取り付けることで、ブレース４１を設置することができる。この場合、ブレース４１の両端部を垂木フレーム材２３と束１７とに直接取り付けてブレース４１の設置を行う場合と比べ、ブレース４１の位置決めを容易に行えるといった取付作業上の利点が得られるため、屋根１３の補強作業を好適に行うことができる。したがって、既設された建物１０に対して屋根１３の補強を行う上で好ましい構成といえる。
【００７３】
ブラケット１６と束１７とにより屋根１３（屋根パネル２０）を支持する構成では、屋根１３に水平力が生じた場合に、その水平力が概ねブラケット１６を介して建物本体１２側に伝達される。すなわち、束１７は鉛直方向に延びているため、屋根１３に生じる水平力を束１７を介して建物本体１２側に伝達することは困難である。この点、ブレース４１を介して垂木フレーム材２３と束１７とを連結する上記の構成を用いれば、屋根１３に生じる水平力をブラケット１６に加えブレース４１を介して建物本体１２に伝達することができるため、かかる構成の屋根１３においても屋根１３に生じる水平力に対して抵抗力を発揮することができる。
【００７４】
ブレース４１を束１７に対してその下端側に連結したため、屋根１３に生じた水平力を束脚部３８付近すなわち束１７における建物本体１２との連結部付近に伝達させることができる。これにより、屋根１３に生じた水平力を建物本体１２側に好適に伝達させることができる。
【００７５】
隣り合う各屋根パネル２０の隣接する垂木フレーム材２３同士が連結する連結部分に屋根側連結具４２を固定したため、それら各屋根パネル２０をそれぞれブレース４１により補強することができる。これにより、地震や強風等により屋根１３に横揺れが生じた場合に、隣り合う屋根パネル２０間でずれが生じるといった問題が発生するのを防止できる。
【００７６】
垂木フレーム材２３に挿通孔部３３を設け、隣り合う各屋根パネル２０の垂木フレーム材２３同士を、各々の挿通孔部３３にボルト３４を挿通しナット３５と締結することにより連結した。そして、そのボルト３４を、屋根側連結具４２の挿通孔部４９にも挿通させることで、屋根側連結具４２を垂木フレーム材２３に固定した。この場合、垂木フレーム材２３に直接釘等を打ち付けて屋根側連結具４２を取り付ける場合とは異なり、垂木フレーム材２３に損傷を与えることなく屋根側連結具４２を垂木フレーム材２３に取り付けることができる。そのため、屋根１３を事後的に補強する上で好ましい構成である。
【００７７】
また、隣り合う屋根パネル２０の隣接する垂木フレーム材２３の間に屋根側連結具４２の固定プレート４５を挿入するとともに、同プレート４５において該挿入した被挿入部分に挿通孔部４８を形成した。この場合、固定プレート４５の被挿入部分を各垂木フレーム材２３の間に挟み込ませた状態でそれぞれ各垂木フレーム材２３にボルト３４及びナット３５を用いて固定することができるため、屋根１３の補強効果を良好に発揮させることができる。
【００７８】
垂木フレーム材２３において長手方向に沿って複数形成された各挿通孔部３３にそれぞれボルト３４を挿通しナット３５と締結することにより、隣り合う屋根パネル２０の隣接する垂木フレーム材２３同士を互いに連結する構成において、それら複数のボルト３４のうちいずれかを屋根側連結具４２（固定プレート４５）の挿通孔部４９に挿通することにより、同連結具４２を垂木フレーム材２３に固定した。かかる構成によれば、複数の挿通孔部３３がそれぞれ異なる高さ位置に配置されているため、屋根側連結具４２の取付高さに関して自由度を高めることができ、ひいてはブレース４１の設置向き（傾斜角度）に関して自由度を高めることができる。これにより、屋根１３の補強度合いに応じてブレース４１の設置向きを変えるといった対応をとることが可能となる。
【００７９】
詳しくは、隣接する垂木フレーム材２３同士を、フレーム長手方向における中間部（略中央部）で連結しているボルト３４及びナット３５を用いて屋根側連結具４２を垂木フレーム材２３に取り付けた。ここで例えば、フレーム長手方向における軒先２８側の端部で垂木フレーム材２３同士を連結しているボルト３４及びナット３５を用いて屋根側連結具４２の取り付けを行う場合、屋根１３下において軒先２８側は狭小となっているためその作業性の面で懸念がある。また、フレーム長手方向における棟１８側端部のボルト３４及びナット３５を用いて屋根側連結具４２の取り付けを行う場合には、２つの傾斜屋根部１９の間での作業となるため、軒先２８側の場合と同様に作業性の面で難がある。その点、フレーム長手方向中間部のボルト３４及びナット３５を用いて屋根側連結具４２の取付を行う上述の構成では、比較的開放された空間での作業となるため、補強作業を好適に行うことができる。
【００８０】
ブレース４１にターンバックル４１ｂを設けたため、屋根側連結具４２又は束側連結具４３が所定の取付位置から若干ずれた位置に取り付けられたとしても、ターンバックル４１ｂによりブレース４１長さを微調整することでブレース４１の両端部をそれぞれ各連結具４２，４３に取り付けることができる。そのため、既設された建物１０に対して事後的に補強を行うにあたって実用上好ましい構成である。
【００８１】
本発明は上記実施形態に限らず、例えば次のように実施されてもよい。
【００８２】
（１）上記実施形態では、屋根側連結具４２を、その一部（固定プレート４５の一部）を隣接する垂木フレーム材２３の間に挿入した状態でそれら各垂木フレーム材２３に取り付けたが、これを変更してもよい。例えば、隣接する各垂木フレーム材２３のうちいずれか一方の垂木フレーム材２３（ウェブ部２３ａ）の内側面（換言するとウェブ部２３ａにおける他方の垂木フレーム材２３とは反対側の面）に屋根側連結具４２を重ね合わせた状態で取り付けてもよい。具体的には、その重ね合わせ状態で垂木フレーム材２３の挿通孔部３３と屋根側連結具４２（詳しくは固定プレート４５）の挿通孔部４８とにそれぞれボルト３４を挿通しナット３５と締結することで、屋根側連結具４２を垂木フレーム材２３に取り付ける。この場合にも、垂木フレーム材２３に直接釘等を打ち付けることなく屋根側連結具４２を取り付けることができるため、上記実施形態と同様、事後的に屋根１３を補強するにあたって都合がよい。なお、このような取付構成とする場合には、屋根側連結具４２を垂木フレーム材２３のコ字状溝内に収まる大きさで形成する必要がある。
【００８３】
また、屋根側連結具４２を、隣接する各垂木フレーム材２３の下面同士に跨がるように設置し、それら各フレーム材２３の下面に対してそれぞれビス等で取り付けてもよい。この場合、垂木フレーム材２３の下面には挿通孔部が予め形成されていないため、屋根側連結具４２を介して当該下面にビス等を打ち付けることにより屋根側連結具４２の取り付けを行う必要がある。
【００８４】
（２）上記実施形態では、隣り合う屋根パネル２０の隣接する垂木フレーム材２３同士を連結する複数のボルト３４及びナット３５のうち、フレーム長手方向の中間部に配置されたボルト３４及びナット３５を用いて屋根側連結具４２を垂木フレーム材２３に取り付けたが、フレーム長手方向の端部側に配置されたボルト３４及びナット３５を用いて屋根側連結具４２の取り付けを行ってもよい。例えば、図８に示すように、軒先２８側の端部に配置されたボルト３４及びナット３５を用いて屋根側連結具４２の取り付けを行うことが考えられる。そうすれば、ブレース４１を略水平方向に延びる向きで設置することができるため、水平力に対する抵抗力をより高めることができる。
【００８５】
（３）上記実施形態では、屋根側連結具４２を垂木フレーム材２３に取り付けたが、棟フレーム材２４に取り付けてもよい。この場合、図９に示すように、棟１８を挟んで隣り合う屋根パネル２０において隣接する棟フレーム材２４の間に、屋根側連結具４２の固定プレート４５を挿入し、その挿入状態で同プレート４５の挿通孔部４８にボルト３４を挿通しナット３５と締結することで屋根側連結具４２の取り付けを行うことが考えられる。すなわち、上記実施形態と同様の取付構成で、屋根側連結具４２を棟フレーム材２４に取り付けることが考えられる。この場合、ブレース４１は、平面視において棟１８に沿って延びる向きで設置されるため、屋根１３に生じる棟１８に沿う方向の水平力に対し抵抗力を発揮することができる。
【００８６】
なお、上記実施形態の構成では、棟１８の直下において当該棟１８に沿って建物ユニット１５の天井大梁２９が設けられていないことから、棟１８の直下に束１７が設置されていない（図２参照）。そのため、上記実施形態において図９の構成を適用する場合には、建物ユニット１５において対向する一対の天井大梁２９の間に束受け梁を架け渡し、その束受け梁上に束１７を設置することとなる。その場合、例えば図１０に示すように、束受け梁６５上にＬ字状の束脚部６６をその側面部を束受け梁６５の側面に当接させた状態で載置し、その載置した束脚部６６上に束１７を立設することが考えられる。そして、その束１７に対して束側連結具４３を取り付けることとなる。
【００８７】
（４）屋根側連結具４２は、必ずしも野地板２１の周縁に沿って配設されるフレーム材２３，２４に取り付ける必要はなく、例えば母屋フレーム材２６に取り付けてもよい。この場合、屋根側連結具４２の挿通孔部４８に釘等を挿通しその釘等を母屋フレーム材２６に直接打ち付けることで屋根側連結具４２を取り付けることが考えられる。
【００８８】
（５）束側連結具４３の構成は必ずしも上記実施形態の構成に限定されない。例えば、束側連結具を１つの部材より構成し、それを束１７に対してビスや釘を用いて直接取り付けてもよい。なお、かかる構成とする場合には、建物施工の際に予め束１７にビスを締結可能な取付孔部を形成しておくことが望ましい。
【００８９】
また、上記実施形態の束側連結具４３において、さらに各挟み込み部材５１，５２における束１７を挟んだ両側に配置される部位にそれぞれビスを挿通させるための挿通孔部を設け、その挿通孔部にビスを挿通して束１７に打ち付けてもよい。そうすれば、束側連結具４３の束１７に対する固定度を高めることができる。なお、束側連結具４３は、必ずしも束１７の下端側に取り付ける必要はなく、例えば束１７の高さ方向中央付近に取り付けてもよい。
【００９０】
（６）上記実施形態では、１つの束側連結具４３に対して１つのブレース４１を取り付けたが、図８に示すように、１つの束側連結具４３に対して２つのブレース４１を取り付けてもよい。この場合、各挟み込み部材５１，５２を連結している二組のボルト６１及びナット６２をそれぞれ用いて各ブレース４１を束側連結具４３に取り付けることとなる。
【００９１】
（７）上記実施形態では、ブレース４１に張力調整機構としてのターンバックル４１ｂを設けたが、必ずしもブレース４１に張力調整機構を設ける必要はない。また、補強部材として、ブレース４１以外に、角形鋼や溝形鋼等の形鋼や、木質系の角材等を用いてもよい。
【００９２】
（８）本発明の屋根補強構造を建物施工時に構築してもよい。例えば、施工時において屋根の一部をスポット的に補強したい場合等に、本発明の屋根補強構造を用いれば、施工途中の屋根に対して好適に補強を行うことができる。
【００９３】
（９）上記実施形態では、野地板２１とパネルフレーム２２（垂木フレーム材２３等を含む）とを有する屋根パネル２０を予め製造し、そのパネル２０を束１７上に複数並設して構成される屋根に本発明を適用したが、他の構成からなる屋根に本発明を適用してもよい。例えば、建物本体上に立設した複数の束上に母屋や棟木などの横架材を組み付けるとともに、棟木から軒桁にかけて下方傾斜するように垂木を架け渡して小屋組を構築し、その小屋組上に野地板を設置して構成される屋根に適用してもよい。その場合、垂木や棟木、母屋（いずれも支持部材に相当）に対して屋根側連結具を取り付けることとなる。
【００９４】
（１０）上記実施形態では、切妻式の屋根に対して本発明を適用したが、切妻屋根や片流れ屋根などその他の形状の屋根に本発明を適用してもよい。また、上記実施形態では、ユニット式建物への適用例を説明したが、鉄骨軸組工法により構築される建物や、在来木造工法により構築される建物等、他の構造の建物に適用してもよい。要するに、束により屋根が支持されている建物であれば、本発明を適用することができる。
【符号の説明】
【００９５】
１０…建物、１２…建物本体、１３…屋根、１７…束、２０…屋根パネル、２１…野地板、２３…支持部材及びフレーム材としての垂木フレーム材、４１…補強部材としてのブレース、４２…屋根側連結具、４３…束側連結具、５１…第１挟み込み部材、５２…第２挟み込み部材。
【図１】
0005829887.tif 000002
【図２】
0005829887.tif 000003
【図３】
0005829887.tif 000004
【図４】
0005829887.tif 000005
【図５】
0005829887.tif 000006
【図６】
0005829887.tif 000007
【図７】
0005829887.tif 000008
【図８】
0005829887.tif 000009
【図９】
0005829887.tif 000010
【図１０】
0005829887.tif 000011